(57)【要約】【課題】臨床検査項目の選択にかかるユーザの判断を支援するプログラム等を提供すること。【解決手段】プログラムは、選択検査項目の選択を受け付け、受け付けた前記選択検査項目に関連する関連検査項目、および、前記選択検査項目と前記関連検査項目との関連強度を取得し、取得した前記関連検査項目と前記関連強度とを、前記選択検査項目と関連づけて表示する処理をコンピュータに実行させる。プログラムは、前記関連検査項目と前記選択検査項目とを、前記関連強度に基づく長さまたは太さを有する接続線６３３により接続したマップにより表示する。【選択図】図１０
2020021324.tif 000002
【特許請求の範囲】
【請求項１】
選択検査項目の選択を受け付け、
受け付けた前記選択検査項目に関連する関連検査項目、および、前記選択検査項目と前記関連検査項目との関連強度を取得し、
取得した前記関連検査項目と前記関連強度とを、前記選択検査項目と関連づけて表示する
処理をコンピュータに実行させるプログラム。
【請求項２】
前記関連検査項目と前記選択検査項目とを、接続線により接続したマップにより表示する
請求項１に記載のプログラム。
【請求項３】
前記関連検査項目を、前記関連強度に基づく大きさで表示する
請求項２に記載のプログラム。
【請求項４】
前記接続線を、前記関連強度に基づく長さまたは太さで表示する
請求項２または請求項３に記載のプログラム。
【請求項５】
前記マップに表示された前記関連検査項目から一の注目検査項目の選択を受け付けた場合、
受け付けた前記注目検査項目に関連する関連検査項目、および、前記注目検査項目と前記関連検査項目との関連強度を取得し、
取得した前記関連検査項目と前記関連強度とを、前記注目検査項目と関連づけて表示する
請求項２から請求項４のいずれか一つに記載のプログラム。
【請求項６】
絞込条件の選択を受け付け、
受け付けた前記絞込条件に基づいて前記マップを表示する
請求項２から請求項５のいずれか一つに記載のプログラム。
【請求項７】
それぞれの前記関連検査項目のカテゴリを取得し、
取得した前記カテゴリに基づく色または形状でそれぞれの前記関連検査項目を表示する
請求項２から請求項６のいずれか一つに記載のプログラム。
【請求項８】
前記マップに表示された前記選択検査項目または前記関連検査項目の選択を受け付けた場合、
選択を受け付けた前記選択検査項目または前記関連検査項目にかかる情報を表示する
請求項２から請求項７のいずれか一つに記載のプログラム。
【請求項９】
前記マップに表示された前記選択検査項目または前記関連検査項目の選択に基づいて、発注する発注検査項目の追加または削除を受け付ける
請求項２から請求項８のいずれか一つに記載のプログラム。
【請求項１０】
前記発注検査項目にかかる発注情報を出力する
請求項９に記載のプログラム。
【請求項１１】
受け付けた前記選択検査項目を含む複数の検査の実施順序にかかるフローマップを取得し、
取得した前記フローマップを表示する
請求項１から請求項１０のいずれか一つに記載のプログラム。
【請求項１２】
選択検査項目の選択を受け付け、
受け付けた前記選択検査項目に関連する関連検査項目、および、前記選択検査項目と前記関連検査項目との関連強度を取得し、
取得した前記関連検査項目と前記関連強度とを、前記選択検査項目と関連づけて表示する
処理をコンピュータに実行させる情報処理方法。
【請求項１３】
選択検査項目を取得し、
取得した前記選択検査項目に関連する関連検査項目、および、前記選択検査項目と前記関連検査項目との関連強度を取得し、
取得した前記関連検査項目と前記選択検査項目とを、前記関連強度に基づく長さまたは太さを有する接続線により接続したマップにより表示させ、
前記マップに表示された前記選択検査項目または前記関連検査項目の選択に基づいて受け付けられた発注検査項目にかかる発注情報を取得し、
前記発注検査項目にかかる検査結果を取得し、
取得した前記発注情報と前記検査結果とを関連づけて出力する
処理をコンピュータに実行させる情報処理方法。
【請求項１４】
選択検査項目を取得する取得部と、
前記取得部が取得した前記選択検査項目に関連する関連検査項目、および、前記選択検査項目と前記関連検査項目との関連強度をデータベースから抽出する抽出部と、
前記抽出部が抽出した前記関連検査項目および前記関連強度を出力する出力部と
を備える情報処理装置。
【発明の詳細な説明】
【技術分野】
【０００１】
本発明は、プログラム、情報処理方法および情報処理装置に関する。
【背景技術】
【０００２】
医師が患者の病気を診断するにあたり、患者から血液、尿または便等の検体を採取して分析する臨床検査が行なわれる。複数の検査装置に対する検体の搬送を制御する検査システムが提案されている（特許文献１）。
【先行技術文献】
【特許文献】
【０００３】
【特許文献１】特開２０１６−５０９３４号公報
【発明の概要】
【発明が解決しようとする課題】
【０００４】
臨床検査項目は多岐にわたる上、現在も種々の新たな検査が開発されている。医師は、診察中の患者の病名等を予測しながら、確定診断を行なうために必要な臨床検査項目を選択して実施する。特許文献１に開示されたシステムでは、臨床検査項目の選択にかかる医師の判断を支援することはできない。
【０００５】
一つの側面では、臨床検査項目の選択にかかるユーザの判断を支援するプログラム等を提供することを目的とする。
【課題を解決するための手段】
【０００６】
プログラムは、選択検査項目の選択を受け付け、受け付けた前記選択検査項目に関連する関連検査項目、および、前記選択検査項目と前記関連検査項目との関連強度を取得し、取得した前記関連検査項目と前記関連強度とを、前記選択検査項目と関連づけて表示する
処理をコンピュータに実行させる。
【発明の効果】
【０００７】
一つの側面では、臨床検査項目の選択にかかるユーザの判断を支援するプログラム等を提供できる。
【図面の簡単な説明】
【０００８】
【図１】臨床検査の処理の流れを説明する説明図である。
【図２】臨床検査項目選択のイメージを説明する説明図である。
【図３】情報処理システムの構成を示す説明図である。
【図４】発注ＤＢのレコードレイアウトを説明する説明図である。
【図５】受注ＤＢのレコードレイアウトを説明する説明図である。
【図６】検査項目ＤＢのレコードレイアウトを説明する説明図である。
【図７】共起ネットワークＤＢのレコードレイアウトを説明する説明図である。
【図８】共起ネットワークＤＢ作成方法の概要を説明する説明図である。
【図９】情報処理装置が表示する画面を示す説明図である。
【図１０】情報処理装置が表示する画面を示す説明図である。
【図１１】情報処理装置が表示する画面を示す説明図である。
【図１２】情報処理装置が表示する画面を示す説明図である。
【図１３】情報処理装置が表示する画面を示す説明図である。
【図１４】プログラムの処理の流れを示すフローチャートである。
【図１５】マップ表示のサブルーチンの処理の流れを示すフローチャートである。
【図１６】分析のサブルーチンの処理の流れを示すフローチャートである。
【図１７】実施の形態２の共起ネットワークＤＢのレコードレイアウトを説明する説明図である。
【図１８】実施の形態２の情報処理装置が表示する画面を示す説明図である。
【図１９】実施の形態２の情報処理装置が表示する画面を示す説明図である。
【図２０】実施の形態３の共起ネットワークＤＢのレコードレイアウトを説明する説明図である。
【図２１】実施の形態３の情報処理装置が表示する画面を示す説明図である。
【図２２】実施の形態４の情報処装置の機能ブロック図である。
【図２３】実施の形態５の情報処理システムの構成を示す説明図である。
【発明を実施するための形態】
【０００９】
［実施の形態１］
図１は、臨床検査の処理の流れを説明する説明図である。医療機関において、医師は患者の問診および診察を行なう。病名の確定診断および実施中の治療の効果確認のために臨床検査が必要であると判断した場合、医師は、実施する臨床検査項目を選択して、検査機関に発注する。
【００１０】
発注された臨床検査項目は、医師等のユーザが使用する情報処理装置２０から検査機関または医療機関内に設置された臨床検査部門のサーバ４０に送信される。医療機関においては、選択された臨床検査項目に応じて、患者から血液、尿、便等の検体を採取する。採取された検体は、冷凍、冷蔵等の適切な温度管理を行ないながら、検査機関に輸送される。検査機関に到着した検体は、臨床検査項目に応じた分析装置３０により分析される。分析装置３０からサーバに検査データが送信される。サーバ４０から、医療機関に対して、検査結果の報告書が送信される。
【００１１】
実施可能な臨床検査の項目は多岐にわたる上、現在も種々の新たな検査が開発されている。大学病院、大病院等で専門的な診療を行なう専門医であれば、自分の専門分野の疾病に関連する臨床検査項目の動向を熟知しており、診察中の患者に対してどの臨床検査項目を選択するかを判断できる。
【００１２】
しかしながら、市中病院、医院等で診療を行なう医師は、多様な分野の疾病の診断を行なう。そのため、適切な臨床検査項目の選択が困難である場合がある。専門医であっても自分の専門分野以外の病気については、適切な臨床検査項目の選択が困難である場合がある。たとえば選択した臨床検査項目に不足があり、追加の検査が必要になった場合、確定診断および適切な治療の開始が遅れるおそれがある。
【００１３】
また、新たに開発されて、保険適用になった臨床検査項目について、医師が網羅的に熟知することは難しい。そのため、新たに開発された有用性の高い臨床検査項目が、なかなか利用されない場合がある。
【００１４】
図２は、臨床検査項目選択のイメージを説明する説明図である。それぞれの臨床検査項目同士の関係は、同時に実施される頻度および医学的な情報等に基づいて、共起ネットワークにより表現できる。
【００１５】
本実施の形態にかかる情報処理システム１０は、情報処理装置に共起ネットワークを視認しやすい態様で表示することにより、臨床検査項目の選択にかかる医師の判断を支援する。
【００１６】
図３は、情報処理システム１０の構成を示す説明図である。前述のとおり、情報処理システム１０は、インターネット等のネットワークを介して接続された情報処理装置２０、分析装置３０およびサーバ４０を備える。
【００１７】
情報処理装置２０は、ＣＰＵ（Central Processing Unit）２１、主記憶装置２２、補助記憶装置２３、通信部２４、タッチパネル２５およびバスを備える。ＣＰＵ２１は、本実施の形態のプログラムを実行する演算制御装置である。ＣＰＵ２１には、一または複数のＣＰＵまたはマルチコアＣＰＵ等が使用される。ＣＰＵ２１は、バスを介して情報処理装置２０を構成するハードウェア各部と接続されている。
【００１８】
主記憶装置２２は、ＳＲＡＭ（Static Random Access Memory）、ＤＲＡＭ（Dynamic Random Access Memory）、フラッシュメモリ等の記憶装置である。主記憶装置２２には、ＣＰＵ２１が行なう処理の途中で必要な情報およびＣＰＵ２１で実行中のプログラムが一時的に保存される。
【００１９】
補助記憶装置２３は、ＳＲＡＭ、フラッシュメモリまたはハードディスク等の記憶装置である。補助記憶装置２３には、発注ＤＢ（Database）５１、ＣＰＵ２１に実行させるプログラム、およびプログラムの実行に必要な各種データが保存される。なお、発注ＤＢ５１は、情報処理装置２０に接続された外部の大容量記憶装置等に保存されていても良い。発注ＤＢ５１は、電子カルテシステムに記録されていても良い。
【００２０】
通信部２４は、情報処理装置２０とネットワークとの間の通信を行なうインターフェイスである。タッチパネル２５は、液晶表示パネル等の表示部２５１と、表示部２５１に積層された入力部２５２とを備える。
【００２１】
本実施の形態の情報処理装置２０は、汎用のパソコンまたはタブレット等である。情報処理装置２０は、図示を省略する病院内ネットワークシステムを介してネットワークに接続されても良い。
【００２２】
分析装置３０は、ＣＰＵ３１、主記憶装置３２、補助記憶装置３３、通信部３４、分析部４５およびバスを備える。ＣＰＵ３１は、本実施の形態のプログラムを実行する演算制御装置である。ＣＰＵ３１には、一または複数のＣＰＵまたはマルチコアＣＰＵ等が使用される。ＣＰＵ３１は、バスを介して分析装置３０を構成するハードウェア各部と接続されている。
【００２３】
主記憶装置３２は、ＳＲＡＭ、ＤＲＡＭ、フラッシュメモリ等の記憶装置である。主記憶装置３２には、ＣＰＵ３１が行なう処理の途中で必要な情報およびＣＰＵ３１で実行中のプログラムが一時的に保存される。
【００２４】
補助記憶装置３３は、ＳＲＡＭ、フラッシュメモリ、ハードディスクまたは磁気テープ等の記憶装置である。補助記憶装置３３には、ＣＰＵ３１に実行させるプログラム、およびプログラムの実行に必要な各種データが保存される。
【００２５】
通信部３４は、分析装置３０とネットワークとの間の通信を行なうインターフェイスである。分析部４５は、検体の各種分析を行なう。分析部４５の詳細については説明を省略する。
【００２６】
分析装置３０は、たとえば血液分析装置、生化学分析装置、免疫分析装置、尿化学分析装置等の、検体を受け付けて臨床検査を行ない、検査結果を出力する装置である。
【００２７】
サーバ４０は、ＣＰＵ４１、主記憶装置４２、補助記憶装置４３、通信部４４およびバスを備える。ＣＰＵ４１は、本実施の形態のプログラムを実行する演算制御装置である。ＣＰＵ４１には、一または複数のＣＰＵまたはマルチコアＣＰＵ等が使用される。ＣＰＵ４１は、バスを介してサーバ４０を構成するハードウェア各部と接続されている。
【００２８】
主記憶装置４２は、ＳＲＡＭ、ＤＲＡＭ、フラッシュメモリ等の記憶装置である。主記憶装置４２には、ＣＰＵ４１が行なう処理の途中で必要な情報およびＣＰＵ４１で実行中のプログラムが一時的に保存される。
【００２９】
補助記憶装置４３は、ＳＲＡＭ、フラッシュメモリ、ハードディスクまたは磁気テープ等の記憶装置である。補助記憶装置４３には、受注ＤＢ５２、検査項目ＤＢ５３、共起ネットワークＤＢ５４、ＣＰＵ４１に実行させるプログラム、およびプログラムの実行に必要な各種データが保存される。なお、受注ＤＢ５２、検査項目ＤＢ５３、共起ネットワークＤＢ５４は、サーバ４０に接続された外部の大容量記憶装置等に保存されていても良い。
【００３０】
通信部４４は、サーバ４０とネットワークとの間の通信を行なうインターフェイスである。
【００３１】
本実施の形態のサーバ４０は、汎用のパーソナルコンピュータ、大型計算機、または、大型計算機上で動作する仮想マシンである。
【００３２】
図４は、発注ＤＢ５１のレコードレイアウトを説明する説明図である。発注ＤＢ５１は、患者に固有に付与された患者ＩＤと、臨床検査の発注情報とを関連づけて記録するＤＢである。発注ＤＢ５１は、患者ＩＤフィールドと、発注情報フィールドとを有する。発注情報フィールドは、発注日フィールドと、検査項目フィールドと、検体ＩＤフィールドとを有する。
【００３３】
患者ＩＤフィールドには、患者ＩＤが記録されている。発注日フィールドには、発注日が記録されている。検査項目フィールドには、臨床検査項目が記録されている。説明のため、以下の説明ではそれぞれの臨床検査項目を「Ａ」、「Ｂ」、「Ｃ」等のアルファベットで記載する。なお、検査項目フィールドには、複数の臨床検査項目を組み合わせたセットが記録されていても良い。
【００３４】
検体ＩＤフィールドには、検体ＩＤが記録されている。発注ＤＢ５１は１件の発注について１つのレコードを有する。
【００３５】
図５は、受注ＤＢ５２のレコードレイアウトを説明する説明図である。受注ＤＢ５２は、臨床検査を発注した医療機関に固有に付与された医療機関ＩＤと、検体ＩＤと、受注情報と、検査結果とを関連づけて記録するＤＢである。
【００３６】
受注ＤＢ５２は、医療機関ＩＤフィールドと、検体ＩＤフィールドと、受注情報フィールドと、検査結果フィールドとを有する。受注情報フィールドは、受注日フィールドと検査項目フィールドとを有する。
【００３７】
医療機関ＩＤフィールドには、医療機関ＩＤが記録されている。検体ＩＤフィールドには、検体ＩＤが記録されている。受注日フィールドには、受注日が記録されている。検査項目フィールドには、臨床検査項目が記録されている。検査結果フィールドには、分析装置３０から取得した、それぞれの臨床検査項目にかかる検査結果が記録されている。受注ＤＢ５２は１件の発注について１つのレコードを有する。
【００３８】
図６は、検査項目ＤＢ５３のレコードレイアウトを説明する説明図である。検査項目ＤＢ５３は、臨床検査項目と、検査情報とを関連づけて記録するＤＢである。
【００３９】
検査項目ＤＢ５３は、検査項目フィールドと、検査情報フィールドとを有する。検査情報フィールドは、容器ラベルフィールドと、検査種類フィールドと、件数／月フィールドと、備考フィールドとを有する。
【００４０】
検査項目フィールドには、臨床検査項目が記録されている。容器ラベルフィールドには、検体の採取に使用する検体容器に付けられて識別用のラベルが記録されている。それぞれの検体容器には、採取した検体を臨床検査項目に応じた状態で保存する薬剤等が封入されている。
【００４１】
検査種類フィールドには、検査の種類が記録されている。検査の種類は、それぞれの臨床検査項目の種類を示す。検査の種類は、たとえばそれぞれの臨床検査項目のカテゴリ、主に使用される臨床科、検査費用、検査に要する期間等、任意の基準に基づいて定めることができる。
【００４２】
たとえば、「１」は生化学検査、「２」は免疫血清検査、「３」は遺伝子検査のように定義する。「１」は主に皮膚科で使用される検査、「２」は主に内科で使用される検査のように定義しても良い。符号を用いる代わりに、検査種類の名称そのものが検査種類フィールドに記録されても良い。
【００４３】
件数／月フィールドには、標準的な月に行なわれる当該検査の件数が記録されている。備考フィールドには、備考が記録されている。検査項目ＤＢ５３は、１つの臨床検査項目について、１つのレコードを有する。
【００４４】
図７は、共起ネットワークＤＢ５４のレコードレイアウトを説明する説明図である。共起ネットワークＤＢ５４は、２つの臨床検査項目間の関連の強さを記録するＤＢである。共起ネットワークＤＢ５４は、第１項目フィールド、第２項目フィールドおよび共起指標フィールドを有する。共起指標フィールドは、第１指標フィールドと、第２指標フィールドとを有する。
【００４５】
第１項目フィールドには、第１の臨床検査項目が記録されている。第２項目フィールドには、第２の臨床検査項目が記録されている。第１指標フィールドには第１指標が記録されている。第２指標フィールドには第２指標が記録されている。第１指標および第２指標は、第１項目と第２項目との間の関連強度を示す共起指標である。「−」は、共起指標が所定の誤差レベル以下であることを意味する。共起指標の詳細については、後述する。
【００４６】
図８は、共起ネットワークＤＢ５４作成方法の概要を説明する説明図である。過去に受注した検査の実績が記録された受注ＤＢ５２に基づいて、共起ネットワーク分析を行なう。具体的には、受注ＤＢ５２の各レコードの検査項目フィールドに記録された臨床検査項目の組に基づいて、２つの臨床検査項目同士の関連強度を示す指標を算出する。
【００４７】
指標は、たとえば類似性を表す指標であるＪａｃｃａｒｄ係数、Ｄｉｃｅ係数もしくはＳｉｍｐｓｏｎ係数、または、相関性を表す指標であるユークリッド距離、マハラノビス距離、コサイン距離もしくは共起数等の様々な手法に基づいて、それぞれ算出できる。任意の指標を、第１指標および第２指標にそれぞれ割り当てることができる。
【００４８】
算出した指標に基づく共起ネットワークに対して、専門家の医学的な知見、および、受注ＤＢ５２には反映されていない新しい臨床検査項目に関する情報等を用いて調整を行なう。以上により図７を使用して説明した共起ネットワークＤＢ５４を作成する。なお、共起指標フィールドに記録される指標の値は、第１項目と第２項目との間の関連強度が強い場合に大きくても、弱い場合に大きくても良い。共起指標は、たとえば最大値を１００または１等の任意の数に定めて、正規化されても良い。
【００４９】
共起ネットワークＤＢ５４の第１指標フィールドおよび第２指標フィールドには、それぞれ異なる手法を用いて共起ネットワーク分析を行って定めた指標が記録されている。なお、共起ネットワークＤＢ５４の共起指標フィールドは、３個以上のサブフィールドを有しても良い。このようにする場合、使用する指標についてユーザによる選択を受け付けるか、またはＣＰＵ４１もしくはＣＰＵ２１が、使用する指標を所定のルールに基づいて選択する。
【００５０】
図９から図１３は、情報処理装置１２０が表示する画面を示す説明図である。図９は、本実施の形態のプログラムのトップ画面を示す。画面の左上に、患者の氏名、性別および年齢を示す患者欄６１が表示されている。患者欄の下に臨床検査項目の一覧を示す検査項目リスト欄６２が表示されている。
【００５１】
検査項目リスト欄６２には、各臨床検査項目の名称が、ユーザの探しやすい順番で一覧表示されている。それぞれの臨床検査項目名の左側に検査項目選択欄６２１が表示され、右側にマップ選択欄６２２が表示されている。ユーザは、検査項目選択欄６２１にチェックマークを入れることにより、所望の臨床検査項目を選択できる。
【００５２】
画面の右上に、マップ欄６３が表示されている。マップ欄６３には、共起ネットワークＤＢ５４に記録された共起ネットワークの一部を抜粋して視覚化したマップが表示されている。マップ欄６３の詳細については後述する。
【００５３】
画面の右下に、関連項目リスト欄６４が表示されている。関連項目リスト欄６４には、マップ欄６３に示された臨床検査項目の一覧および指標が一覧表示されている。関連項目リスト欄６４に示す指標は、第１指標、第２指標、または、所定の計算式に基づいて第１指標および第２指標から算出した指標等である。関連項目リスト欄６４のそれぞれの臨床検査項目名の左側に関連項目選択欄６４１が表示されている。
【００５４】
マップ欄６３について説明する。マップ欄６３には、ユーザによるマップ選択欄６２２の選択を受け付けた選択検査項目を示す選択検査項目アイコン６３１を中心にして、関連検査項目との関連強度を関連検査項目アイコン６３２により示すマップが表示されている。図９においては、太枠で示すように「Ａ」の臨床検査項目にかかるマップ選択欄６２２が選択された状態を示す。
【００５５】
共起ネットワークＤＢ５４から、第１項目フィールドに選択検査項目である「Ａ」が記録されたレコードが抽出される。さらに、第１指標フィールドおよび第２指標フィールドのいずれにも数値が記録されたレコードが抽出される。抽出されたレコードの第２項目フィールドに記録された関連検査項目を示す関連検査項目アイコン６３２が、「Ａ」を示す選択検査項目アイコン６３１の周囲に放射状に表示される。
【００５６】
それぞれの関連検査項目アイコン６３２の、選択検査項目アイコン６３１に対する相対的な大きさは、第１指標に対応する。それぞれの関連検査項目アイコン６３２と選択検査項目アイコン６３１とは、接続線６３３により接続されている。接続線６３３の長さは、第２指標に対応する。なお、第１指標と第２指標とを入れ替えて、アイコンの相対的な大きさが第２指標に対応し、接続線６３３の長さが第１指標に対応しても良い。
【００５７】
それぞれの関連検査項目アイコン６３２は、第１指標に対応する色で表示されても良い。たとえば、選択検査項目との関連性が強い関連検査項目を示す関連検査項目アイコン６３２は、選択検査項目アイコン６３１と類似した色で表示され、選択検査項目との関連性が弱い関連検査項目を示す関連検査項目アイコン６３２は、選択検査項目アイコン６３１と異なる色で表示されても良い。色のグラデーションにより、関連性の強弱を表現できる。
【００５８】
検査項目選択欄６２１にチェックが入った臨床検査項目に対応する選択検査項目アイコン６３１および関連検査項目アイコン６３２は、太枠、ハッチングまたは点滅等により強調して表示される。図９のマップ欄６３においては、チェックが入った臨床検査項目「Ｃ」が第１フィールドに記録されたレコードが共起ネットワークＤＢ５４から抽出されて、「Ｃ」を示す関連検査項目アイコン６３２に対して「Ｂ」を示す関連検査項目アイコン６３２が接続されている。「Ｂ」を示す関連検査項目アイコン６３２に対して、さらに他の臨床検査項目を示す関連検査項目アイコン６３２が接続されても良い。
【００５９】
以上により、第１指標と第２指標の２つの共起指標を視覚化したマップを、マップ欄６３に表示できる。ユーザは、マップ欄６３により、選択検査項目との関連強度が高い関連検査項目を容易に確認し、発注する発注検査項目に加える必要があるか否かを判断できる。加える必要があると判断した場合、ユーザは関連項目選択欄６４１にチェックを入れる。「Ａ」および「Ｃ」のアイコンに例示するように、チェックが入れられた項目にかかる関連検査項目アイコン６３２は、太枠、ハッチングまたは点滅等により強調して表示される。
【００６０】
選択検査項目アイコン６３１および関連検査項目アイコン６３２は、図６を使用して説明した検査項目ＤＢ５３の検査種類フィールドに記録された検査種類に基づいて色分けして表示されても良い。選択検査項目アイコン６３１および関連検査項目アイコン６３２を色分け表示した例を、図２にハッチングで示す。ユーザは、検査の種類を容易に視認できる。
【００６１】
ユーザが選択検査項目アイコン６３１および関連検査項目アイコン６３２を右クリックする等の操作を行なった場合、ＣＰＵ２１は検査項目ＤＢ５３の備考欄に記録された情報をポップアップ表示する。ユーザは、臨床検査項目に関する追加情報を容易に得ることができる。
【００６２】
なお、選択検査項目アイコンおよび関連検査項目アイコンの形状は任意である。図に例示する円形の他、楕円形、四角形、星型、その他任意の形状を使用できる。
【００６３】
選択検査項目アイコン６３１および関連検査項目アイコン６３２の大きさは、図６を使用して説明した検査項目ＤＢ５３の件数／月フィールドに記録された検査件数に基づいて定められても良い。このようにする場合、選択検査項目アイコン６３１と関連検査項目アイコン６３２とを結ぶ接続線６３３の長さは、共起ネットワークＤＢ５４に記録された第１指標と第２指標のいずれに基づいて定められても良い。ユーザは、多くの症例で使用されている一般的な臨床検査項目と、使用頻度が低い臨床検査項目とを容易に識別できる。
【００６４】
図１０は、図９の画面においてマップ欄６３が、ダブルクリック等の操作により選択された後に情報処理装置２０に表示される画面を示す。画面の左上に、患者欄６１が表示されている。患者欄６１の下にトップボタン６５が表示されている。トップボタン６５の選択を受け付けた場合、ＣＰＵ２１は、図９を使用して説明したトップ画面に画面を戻す。
【００６５】
患者欄６１およびトップボタン６５の右側に、マップ欄６３が拡大表示されている。マップ欄６３の上側に、一括依頼タブ６６１、全体マップタブ６６２およびフロー表示タブ６６３の３個の選択タブ６６が表示されている。図１０は、一括依頼タブ６６１が選択された状態を示す。
【００６６】
図１０に示す画面においても、ユーザが選択検査項目アイコン６３１または関連検査項目アイコン６３２を右クリックするまたはロングタップする等の操作を行なった場合に、ＣＰＵ２１は、検査項目ＤＢ５３の備考欄に記録された情報をポップアップ表示するか、または発注する発注検査項目への追加を受け付けても良い。図１０においては、「Ｂ」の関連検査項目アイコン６３２に例示するように、発注検査項目の追加が受け付けられている。
【００６７】
どのような操作を受け付けた場合に、ＣＰＵ２１がどのような動作を行なうかを、ユーザが設定できても良い。
【００６８】
図１１は、図１０に示す画面において「Ｆ」の関連検査項目アイコン６３２がダブルクリックされた場合に、ＣＰＵ２１が表示部２５１に表示する画面を示す。以下の説明では、ダブルクリックされた項目を注目検査項目と記載する。ＣＰＵ２１は、マップ欄６３の表示を、注目検査項目である「Ｆ」を示す選択検査項目アイコン６３１を中心する表示に切り替える。図１１のマップ欄６３は、図９に示すトップ画面において、「Ｆ」の臨床検査項目にかかるマップ選択欄６２２が選択された場合に表示されるマップと同様である。
【００６９】
図１２は、図１０に示す画面において全体マップタブ６６２の選択を受け付けた場合に情報処理装置２０に表示される画面を示す。ＣＰＵ２１は、マップ欄６３の表示を、発注可能な臨床検査項目全体を視覚化して示すマップに切り替える。それぞれの臨床検査項目を示す検査項目アイコン６３４は、検査項目ＤＢ５３の検査種類フィールドに記録された検査種類ごとに色分けして表示される。それぞれの検査項目アイコン６３４の大きさは、検査項目ＤＢ５３の件数／月フィールドに記録された検査件数に対応する。関連強度の高い検査項目アイコン６３４同士は、接続線６３３により接続される。
【００７０】
選択済の臨床検査項目に対応する検査項目アイコン６３４は、太枠、ハッチングまたは点滅等により強調して表示されることが望ましい。ユーザは、共起マップ全体のなかのどの部分の検査を選択済みであるかを容易に視認できる。いずれかの検査項目アイコンのダブルクリックを受け付けた場合、ＣＰＵ２１は、選択を受け付けた検査項目アイコン６３４を選択検査項目アイコン６３１として、図１０および図１１を使用して説明した画面に切り替える。
【００７１】
なお、関連強度が所定の値よりも低い接続線を省略する等の処理により、マップの視認性を高め、全体の概要を理解しやすく表示できる。ＣＰＵ２１は、マップ欄６３内のズームインおよびズームアウトの操作を受け付けても良い。マップは、ユーザの操作に基づいて動的に変化しても良い。
【００７２】
図１３は、図１０に示す画面においてフロー表示タブ６６３の選択を受け付けた場合に情報処理装置２０に表示される画面を示す。ＣＰＵ２１は、マップ欄６３の表示を、臨床検査の実施順序の流れを示すフローマップに切り替わる。
【００７３】
フローマップの概要を説明する。フローマップにおいては、それぞれの臨床検査項目は長方形により表示される。長方形の縦辺の長さは、臨床検査項目が実施される実績件数に対応する。
【００７４】
左端に縦に並んだ長方形群は、最初の段階で行なわれる臨床検査項目を示す。それぞれの項目の検査に続いて行なわれる検査の項目が、右側に順次示されている。たとえば、左上に示す「Ｓ」の臨床検査の後、ほぼ全数で「Ｔ」の臨床検査が行なわれる。「Ｔ」の臨床検査の後、その半分強の症例で「Ｕ」の臨床検査が行なわれる。
【００７５】
フローマップは、過去に受注した検査の実績が記録された受注ＤＢ５２に基づいて、アソシエーション分析、マーケットバスケット分析、グラフ分析、決定木等のルールベースモデル、クラスタ分析等、時系列分析、グラフィカルモデル分析、または、因果関係解析等の種々の分析手法により作成される。フローマップは、たとえば標準治療のプロトコルに基づいて作成されても良い。
【００７６】
フローマップは、補助記憶装置４３に記録されている。フローマップは、必要に応じてネットワークを介して接続された他のサーバ等から取得されても良い。
【００７７】
なお、図１３に示すフローマップは例示である。臨床検査項目同士の関連性を視覚的に示す任意の形式のマップを使用できる。
【００７８】
フローマップにおいても、選択済の臨床検査項目は太枠、ハッチングまたは点滅等により強調して表示されることが望ましい。
【００７９】
図１４は、プログラムの処理の流れを示すフローチャートである。ＣＰＵ２１は、図９を使用して説明したトップ画面を表示して、ユーザによる発注する発注検査項目の選択を受け付ける（ステップＳ５０１）。なお、診療科等に応じて、デフォルトの選択項目が選択を受け付けられた状態になっていても良い。ＣＰＵ２１は、発注ＤＢ５１に新規レコードを作成し、ステップＳ５０１で受け付けた臨床検査項目を、項目フィールドに記録する。
【００８０】
ＣＰＵ２１は、マップ表示のサブルーチンを起動する（ステップＳ５０２）。マップ表示のサブルーチンは、マップ欄６３にマップを表示するサブルーチンである。マップ表示のサブルーチンの処理の流れは後述する。
【００８１】
ＣＰＵ２１は、発注する発注検査項目の変更を受け付けたか否かを判定する（ステップＳ５０３）。変更は、検査項目選択欄６２１および関連項目選択欄６４１のチェックの付け外しに基づいて受け付けられる。
【００８２】
変更を受け付けたと判定した場合（ステップＳ５０３でＹＥＳ）、ＣＰＵ２１は、項目フィールドに記録された臨床検査項目を変更する（ステップＳ５０４）。変更を受け付けていないと判定した場合（ステップＳ５０３でＮＯ）、またはステップＳ５０４の終了後、ＣＰＵ２１はユーザによる発注の指示を受け付けたか否かを判定する（ステップＳ５０５）。なお、発注の指示は、図示を省略する発注ボタン等により受け付けられる。
【００８３】
発注しないと判定した場合（ステップＳ５０５でＮＯ）、ＣＰＵ２１はステップＳ５０２に戻る。発注すると判定した場合（ステップＳ５０５でＹＥＳ）、ＣＰＵ２１はサーバに発注にかかる情報を送信する（ステップＳ５０６）。発注にかかる情報は、発注する臨床検査項目および検体ＩＤを含む。ＣＰＵ４１は、受注ＤＢ５２に新規レコードを作成し、受信した情報を記録する（ステップＳ６０１）。
【００８４】
ＣＰＵ２１は、検体採取の指示書および検体容器に貼付する検体ＩＤのバーコードラベル等を印刷する（ステップＳ５０７）。指示書に基づいて、看護師等により検体の採取が行なわれ、検体容器にバーコードラベルが貼付される。検体容器は、検査機関に輸送され、分析装置３０に投入される。
【００８５】
ＣＰＵ３１は、分析のサブルーチンを起動する（ステップＳ７０１）。分析のサブルーチンは、検体ＩＤに基づいて受注ＤＢ５２から検査項目を取得して、臨床検査を行なうサブルーチンである。分析のサブルーチンの処理の流れは後述する。
【００８６】
ＣＰＵ３１は検査結果をサーバに送信する（ステップＳ７０２）。ＣＰＵ４１は、検査結果を受信する（ステップＳ６１１）。ＣＰＵ４１は、受信した検査結果を受注ＤＢ５２の検査結果フィールドに記録する。なお、複数の分析装置３０を用いて検体を分析した場合、ＣＰＵ４１は、それぞれの分析装置３０から受信した検査結果を一つの検査結果フィールドに統合して記録する。
【００８７】
ＣＰＵ４１は、所定のフォーマットを用いて検査結果の報告書を作成する（ステップＳ６１２）。ＣＰＵ４１は、情報処理装置２０宛に報告書を送信する（ステップＳ６１３）。ＣＰＵ２１は報告書を受信する（ステップＳ５１１）。ＣＰＵ２１は、報告書を表示部２５１または紙等に出力する（ステップＳ５１２）。ユーザである医師は、出力された報告書を見て、治療方針の策定等を行なう。
【００８８】
なお、ステップＳ６１３において、検査結果は電子カルテシステム宛に送信されても良い。ステップＳ５１１以降は、電子カルテシステムに接続された他のパソコン等により実行されても良い。
【００８９】
図１５は、マップ表示のサブルーチンの処理の流れを示すフローチャートである。マップ表示のサブルーチンは、マップ欄６３にマップを表示するサブルーチンである。ＣＰＵ２１は、フロー表示タブ６６３の選択を受け付けているか否かを判定する（ステップＳ５２１）。
【００９０】
受け付けていると判定した場合（ステップＳ５２１でＹＥＳ）、ＣＰＵ２１は患者ＩＤをキーとして発注ＤＢ５１を検索し、同じ患者に関して過去に行なわれた臨床検査項目を取得する（ステップＳ５２２）。なお、ＣＰＵ２１は電子カルテシステムから過去に行なわれた臨床検査項目を取得しても良い。
【００９１】
ＣＰＵ２１は、取得した過去の臨床検査項目および受注ＤＢ５２の検査項目フィールドに記録された臨床検査項目をサーバ４０に送信する（ステップＳ５２３）。ＣＰＵ４１は、データを受信する（ステップＳ６２１）。ＣＰＵ４１は、受信した項目を含むフローマップを情報処理装置に送信する（ステップＳ６２２）。ＣＰＵ２１は、フローマップを受信して、図１３を使用して説明したようにマップ欄６３に表示する（ステップＳ５２４）。ＣＰＵ２１は、処理を終了する。
【００９２】
フロー表示タブ６６３の選択を受け付けていないと判定した場合（ステップＳ５２１でＮＯ）、ＣＰＵ２１は、全体マップタブ６６２の選択を受け付けているか否かを判定する（ステップＳ５３１）。受け付けていると判定した場合（ステップＳ５３１でＹＥＳ）、ＣＰＵ２１は発注可能な臨床検査項目全体を示すマップをサーバ４０に要求する（ステップＳ５３２）。
【００９３】
ＣＰＵ４１は、要求を受信する（ステップＳ６３１）。ＣＰＵ４１は、発注可能な臨床検査項目全体を示すマップを情報処理装置２０に送信する（ステップＳ６３２）。ＣＰＵ２１は、共起マップを受信して、図１２を使用して説明したようにマップ欄６３に表示する（ステップＳ５３３）。ＣＰＵ２１は、処理を終了する。
【００９４】
全体マップタブ６６２の選択を受け付けていないと判定した場合（ステップＳ５３１でＮＯ）、ＣＰＵ２１は、ユーザによる選択を受け付けた選択検査項目をサーバに送信する（ステップＳ５４１）。ＣＰＵ４１は、選択検査項目を受信する（ステップＳ６４１）。
【００９５】
ＣＰＵ４１は、受信した選択検査項目をキーとして共起マップＤＢ５４を検索し、第１項目フィールドに選択検査項目が記録されたレコードを抽出する。ＣＰＵ４１は抽出したレコードに基づいて、選択検査項目を中心とする共起マップを作成する（ステップＳ６４２）。なお、ＣＰＵ４１は、共起マップ中の関連検査項目に基づいてさらにレコードを抽出して、共起マップに加えても良い。
【００９６】
ＣＰＵ４１は、共起マップを情報処理装置２０に送信する（ステップＳ６４３）。ＣＰＵ２１は、共起マップを受信して、図９から図１１を使用して説明したようにマップ欄６３に表示する（ステップＳ５４２）。ＣＰＵ２１は、処理を終了する。
【００９７】
なお、ステップＳ６２２、ステップＳ６３２およびステップＳ６４３においてＣＰＵ４１が送信する共起マップは、ＣＰＵ２１がマップを生成するために使用するデータであっても、ブラウザの機能を用いてマップを表示するＨＴＭＬ（HyperText Markup Language）ファイル等であっても良い。
【００９８】
図１６は、分析のサブルーチンの処理の流れを示すフローチャートである。分析のサブルーチンは、検体ＩＤに基づいて受注ＤＢ５２から検査項目を取得して、臨床検査を行なうサブルーチンである。
【００９９】
ＣＰＵ３１は、検体容器に貼付されたバーコードから検体ＩＤを読み取る（ステップＳ７１１）。ＣＰＵ３１は、読み取った検体ＩＤをサーバ４０に送信する（ステップＳ７１２）。ＣＰＵ４１は検体ＩＤを受信する（ステップＳ６５１）。ＣＰＵ４１は、検体ＩＤをキーとして受注ＤＢ５２を検索し、抽出したレコードの検査項目フィールドから受注した検査項目を取得する（ステップＳ６５２）。
【０１００】
ＣＰＵ４１は、取得した検査項目を分析装置３０に送信する（ステップＳ６５３）。ＣＰＵ３１は、検査項目を受信する（ステップＳ７２１）。ＣＰＵ３１は、それぞれの検査項目のプロトコルに基づいて、検体を分析する（ステップＳ７２２）。ＣＰＵ３１は、サーバに検体ＩＤと検査結果とを送信する（ステップＳ７２３）。ＣＰＵ３１は、処理を終了する。
【０１０１】
ＣＰＵ４１は検体ＩＤと検査結果とを受信する（ステップＳ６５４）。ＣＰＵ４１は、検体ＩＤをキーとして受注ＤＢ５２を検索し、抽出したレコードの検査結果フィールドに検査結果を記録する（ステップＳ６５５）。
【０１０２】
なお、補助記憶装置２３に共起ネットワークＤＢ５４および検査項目ＤＢ５３、または、共起ネットワークＤＢ５４および検査項目ＤＢ５３の一部をそれぞれ抜き出したサブセットのＤＢが記録されても良い。マップを書き換える都度、情報処理装置２０とサーバ４０との間で通信する必要が無いため、ユーザが軽快に操作できる情報処理システム１０を実現できる。このようにする場合には、サーバ４０と情報処理装置２０との間で適宜データベースの同期を行なうことが望ましい。
【０１０３】
本実施の形態によると、臨床検査項目の選択にかかる医師の判断を支援する情報処理システム１０を提供できる。医師が経験により選択した選択検査項目との関連強度が強い関連検査項目を示す共起マップを表示することにより、発注する臨床検査項目の見落としを防ぐことができる。
【０１０４】
関連検査項目の選択を受け付けた場合に、当該関連検査項目を選択検査項目に変更して、共起マップを更新することにより、医師が任意の観点で臨床検査項目を検討できる情報処理システム１０を提供できる。
【０１０５】
過去に受注した検査の実績が記録された受注ＤＢ５２に基づいて作成した共起ネットワークを、専門家の医学的な知見および新しい臨床検査項目に関する情報に基づいて調整して共起ネットワークＤＢ５４を作成するため、最新の情報に基づく共起マップを少ない手間で作成できる。これにより最新の知見に基づく共起マップを表示する情報処理システム１０を提供できる。
【０１０６】
ユーザによる操作に基づいて検査項目ＤＢ５３の備考欄に記録された情報をポップアップ表示することにより、ユーザが臨床検査項目に関する追加情報を容易に閲覧できる情報処理システム１０を提供できる。
【０１０７】
共起マップ中の選択検査項目アイコン６３１および関連検査項目アイコン６３２のダブルクリック等の操作により、発注する発注検査項目への追加または削除を受け付けることにより、ユーザが容易に検査項目を追加または削除できる情報処理システム１０を提供できる。
【０１０８】
選択済の臨床検査項目が太枠、ハッチングまたは点滅等により強調して表示されることにより、選択済の臨床検査項目と未選択の臨床検査項目とをユーザが容易に識別できる情報処理システム１０を提供できる。
【０１０９】
フローマップを用いて臨床検査の実施順序の一般的な流れを表示することにより、臨床検査項目の発注漏れを防止できる情報処理システム１０を提供できる。
【０１１０】
［実施の形態２］
本実施の形態は、ユーザが様々な絞込条件を設定して共起マップの表示を切り替え可能な情報処理システム１０に関する。実施の形態１と共通する部分については、説明を省略する。
【０１１１】
図１７は、実施の形態２の共起ネットワークＤＢ５４のレコードレイアウトを説明する説明図である。本実施の形態の共起ネットワークＤＢ５４は、診療科フィールド、期間フィールド、患者属性フィールド、第１項目フィールド、第２項目フィールドおよび共起指標フィールドを有する。患者属性フィールドは、性別フィールドと、年齢フィールドとを有する。共起指標フィールドは、第１指標フィールドと第２指標フィールドとを有する。
【０１１２】
診療科フィールドには、臨床検査項目を選択する医師が属する診療科が記録されている。診療科フィールドには、たとえば皮膚科、泌尿器科、呼吸器科等の診療科名が記録される。「全体」は、全診療科の合算であることを意味する。
【０１１３】
期間フィールドには、共起ネットワークを作成する際に使用した受注ＤＢ５２のレコードの受注日の範囲が記録されている。たとえば「直近１年間」と記録されている場合、直近１年間に受注した臨床検査項目に基づいて共起ネットワークが作成されたことを意味する。「全体」と記録されている場合、受注期間を特定せずに共起ネットワークが作成されたことを意味する。
【０１１４】
性別フィールドには、患者の性別が記録されている。「指定なし」は、患者の性別を考慮せずに共起ネットワークが作成されたことを意味する。「男性」または「女性」は、それぞれの性別の患者向けに共起ネットワークが作成されたことを意味する。
【０１１５】
年齢フィールドには、患者の年齢が記録されている。「指定なし」は、患者の年齢を考慮せずに共起ネットワークが作成されたことを意味する。「３０代」は、３０代の患者向けに共起ネットワークが作成されたことを意味する。
【０１１６】
第１項目フィールドには、第１の臨床検査項目が記録されている。第２項目フィールドには、第２の臨床検査項目が記録されている。第１指標フィールドには第１指標が記録されている。第２指標フィールドには第２指標が記録されている。
【０１１７】
図１８および図１９は、実施の形態２の情報処理装置が表示する画面を示す説明図である。図１８に示す画面は、図１０を使用して説明した画面の代わりに表示部２５１に表示される画面を示す。
【０１１８】
トップボタン６５の下に、診療科選択ボタン６７１、期間選択ボタン６７２、性別選択ボタン６７３および年齢選択ボタン６７４の４個の絞込条件ボタン６７が表示されている。４個の絞込条件ボタン６７は、それぞれプルダウン形式になっている。図１８においては、４個の絞込条件ボタン６７は、「すべて」に設定されている。
【０１１９】
図１９においては、診療科選択ボタン６７１は「皮膚科」に、期間選択ボタン６７２は「直近の１年」に、性別選択ボタン６７３は「男性」に、年齢選択ボタン６７４は、「３０代」にそれぞれ設定されている。ＣＰＵ２１は、共起ネットワークＤＢ５４の診療科フィールド、期間フィールド、性別フィールドおよび年齢フィールドをそれぞれの条件で絞り込んで作成した共起マップを、マップ欄６３に表示する。
【０１２０】
なお、絞込条件ボタン６７を選択する前後で、マップ欄６３内の選択検査項目アイコン６３１および関連検査項目アイコン６３２の配置を類似させることが望ましい。具体的には、ＣＰＵ２１は、絞込条件ボタン６７の選択を受け付ける前後で選択検査項目アイコン６３１の位置、および、選択検査項目アイコン６３１から関連検査項目アイコン６３２に向けて放射状に伸びる接続線６３３の傾きを一定に保つことが望ましい。このように表示することにより、絞り込みの影響をユーザが把握しやすい表示を実現できる。
【０１２１】
本実施の形態によると、ユーザが診療科、期間、患者の年齢、および、患者の性別に基づいて共起マップを切り替え可能な情報処理システム１０を提供できる。たとえば、診療科選択ボタン６７１を「皮膚科」に設定することにより、皮膚科に関する診療経験の浅い医師であっても、皮膚科の専門医が選択する臨床検査項目にかかる共起マップを閲覧できる。
【０１２２】
同様に、期間選択ボタン６７２を「１年以内」に設定することにより、最近１年間に選択された臨床検査項目の傾向にかかる共起マップを閲覧できる。性別選択ボタン６７３および年齢選択ボタン６７４を、診療中の患者に合わせて選択することにより、患者の性別および年齢を考慮した臨床検査項目の選択にかかる共起マップを閲覧できる。
【０１２３】
なお、診療科選択ボタン６７１、期間選択ボタン６７２、性別選択ボタン６７３および年齢選択ボタン６７４は、絞込条件ボタン６７の例示である。共起マップＤＢ５４に任意のフィールドを追加するとともに、当該フィールドに対応する絞込条件ボタン６７を追加できる。
【０１２４】
本実施の形態によると、ユーザが様々な絞込条件を設定して共起マップの表示を切り替え可能な情報処理システム１０を提供できる。受注ＤＢ５２に十分な件数のデータが蓄積されていない等の事情により、十分な制度で共起ネットワークを作成できない条件の組合せについては選択できないように、絞込条件ボタン６７の設定が行なわれていることが望ましい。
【０１２５】
共起ネットワークＤＢ５４の期間フィールドは、開始日フィールドおよび終了日フィールドの二つのサブフィールドを有しても良い。開始日フィールドに記録された日付と、終了日フィールドに記録された日付との間に受注した臨床検査項目に基づいて作成された共起ネットワークに関する共起指標が、共起指標フィールドに記録される。
【０１２６】
このようにする場合、期間選択ボタン６７２は、開始日および終了日をそれぞれ設定するカレンダー形式であっても良い。ＣＰＵ２１は、共起ネットワークＤＢ５４の開始日フィールドおよび終了日フィールドにデータが記録された日付にマーキングしたカレンダーを表示して、ユーザによる選択を受け付ける。ＣＰＵ２１は、ユーザによる選択を受け付けた日付に基づいて、マップ欄６３に共起マップを表示する。
【０１２７】
開始日および終了日を選択することにより、ユーザはたとえばインフルエンザのような季節的な流行のある疾患の疑いを考慮して、共起マップを表示させることができる。
【０１２８】
ＣＰＵ２１は、受注ＤＢ５２の発注日フィールドに記録された発注日に基づいて、ユーザにより指定された発注期間にかかる発注レコードを抽出し、リアルタイムで共起ネットワークを作成してマップ欄６３に共起マップを表示しても良い。図８を使用して説明した、医学的知見および新検査の情報を共起マップに反映させることはできない代わりに、検査の流行等を直接的に反映した共起マップを表示することができる。
【０１２９】
［実施の形態３］
本実施の形態は３つの共起指標を１つのマップに表示する情報処理システム１０に関する。実施の形態１と共通する部分については、説明を省略する。
【０１３０】
図２０は、実施の形態３の共起ネットワークＤＢ５４のレコードレイアウトを説明する説明図である。本実施の形態の共起ネットワークＤＢ５４の共起指標フィールドは、第１指標フィールドおよび第２指標フィールドに加えて、第３指標フィールドを有する。
【０１３１】
第３指標フィールドには、第１指標フィールドおよび第２指標フィールドとは異なる手法を用いて共起ネットワーク分析を行って定めた指標が記録されている。なお、共起ネットワークＤＢ５４の共起指標フィールドは、４個以上のサブフィールドを有しても良い。このようにする場合、使用する指標についてユーザによる選択を受け付けるか、または、ＣＰＵ４１が、使用する指標を所定のルールに基づいて選択する。
【０１３２】
図２１は、実施の形態３の情報処理装置が表示する画面を示す説明図である。本実施の形態においては、接続線６３３は、第３指標に対応する太さの線により表示される。第３指標に基づく関連強度が強い場合には太い接続線６３３を使用し、第３指標に基づく関連強度が弱い場合には細い接続線６３３を使用することにより、ユーザは関連強度を直感的に認識できる。
【０１３３】
本実施の形態によると、３つの共起指標を１つのマップに表示する情報処理システム１０を提供できる。
【０１３４】
なお、接続線６３３は第３指標に対応する濃さの線により表示されても良い。このようにする場合には、第３指標に基づく関連強度が強い場合には濃い色の接続線６３３を使用し、第３指標に基づく関連強度が弱い場合には薄い色の接続線６３３を使用する。
【０１３５】
接続線６３３は、第３指標に対応する色相の線により表示されても良い。このようにする場合には、第３指標に基づく関連強度が強い場合には、たとえば赤に近い色の接続線６３３を使用し、第３指標に基づく関連強度が弱い場合には、たとえば青に近い色の接続線６３３を使用する。
【０１３６】
共起指標フィールドに第４指標フィールドを設け、接続線６３３を第４指標に対応する濃さまたは色相により表示しても良い。
【０１３７】
［実施の形態４］
図２２は、実施の形態４の情報処理装置４０の機能ブロック図である。本実施の形態の情報処理装置４０は、検査機関に設置されたサーバ４０に対応する。情報処理装置４０は、取得部７１と、抽出部７２と、出力部７３とを有する。
【０１３８】
取得部７１は、選択検査項目を取得する。抽出部７２は、取得部７１が取得した選択検査項目に関連する関連検査項目、および、選択検査項目と関連検査項目との関連強度をデータベースから抽出する。出力部７３は、抽出部７２が抽出した関連検査項目および関連強度を出力する。
【０１３９】
［実施の形態５］
本実施の形態は、汎用のコンピュータ９０とプログラム９７とを組み合わせて動作させることにより、本実施の形態の情報処理システム１０を実現する形態に関する。図２３は、実施の形態５の情報処理システム１０の構成を示す説明図である。実施の形態１と共通する部分については、説明を省略する。
【０１４０】
本実施の形態の情報処理システム１０は、ネットワークを介して接続されたコンピュータ９０と、分析装置３０と、サーバ４０とを含む。
【０１４１】
コンピュータ９０は、ＣＰＵ２１、主記憶装置２２、補助記憶装置２３、通信部２４、タッチパネル２５、読取部２８およびバスを備える。コンピュータ９０は、汎用のパーソナルコンピュータ、またはタブレット等の情報機器である。
【０１４２】
プログラム９７は、可搬型記録媒体９６に記録されている。ＣＰＵ２１は、読取部２８を介してプログラム９７を読み込み、補助記憶装置２３に保存する。またＣＰＵ２１は、コンピュータ９０内に実装されたフラッシュメモリ等の半導体メモリ９８に記憶されたプログラム９７を読出しても良い。さらに、ＣＰＵ２１は、通信部２４および図示しないネットワークを介して接続される図示しない他のサーバコンピュータからプログラム９７をダウンロードして補助記憶装置２３に保存しても良い。
【０１４３】
プログラム９７は、コンピュータ９０の制御プログラムとしてインストールされ、主記憶装置２２にロードして実行される。これにより、コンピュータ９０は上述した情報処理装置２０として機能する。
【０１４４】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【符号の説明】
【０１４５】
１０    情報処理システム
２０    情報処理装置
２１    ＣＰＵ
２２    主記憶装置
２３    補助記憶装置
２４    通信部
２５    タッチパネル
２５１  表示部
２５２  入力部
２８    読取部
３０    分析装置
３１    ＣＰＵ
３２    主記憶装置
３３    補助記憶装置
３４    通信部
４０    サーバ（情報処理装置）
４１    ＣＰＵ
４２    主記憶装置
４３    補助記憶装置
４４    通信部
５１    発注ＤＢ
５２    受注ＤＢ
５３    検査項目ＤＢ
５４    共起ネットワークＤＢ
６１    患者欄
６２    検査項目リスト欄
６２１  検査項目選択欄
６２２  マップ選択欄
６３    マップ欄
６３１  選択検査項目アイコン
６３２  関連検査項目アイコン
６３３  接続線
６３４  検査項目アイコン
６４    関連項目リスト欄
６４１  関連項目選択欄
６５    トップボタン
６６    選択タブ
６６１  一括依頼タブ
６６２  全体マップタブ
６６３  フロー表示タブ
６７    絞込条件ボタン
６７１  診療科選択ボタン
６７２  期間選択ボタン
６７３  性別選択ボタン
６７４  年齢選択ボタン
７１    取得部
７２    抽出部
７３    出力部
９０    コンピュータ
９６    可搬型記録媒体
９７    プログラム
９８    半導体メモリ
【図１】
2020021324.tif 000003
【図２】
2020021324.tif 000004
【図３】
2020021324.tif 000005
【図４】
2020021324.tif 000006
【図５】
2020021324.tif 000007
【図６】
2020021324.tif 000008
【図７】
2020021324.tif 000009
【図８】
2020021324.tif 000010
【図９】
2020021324.tif 000011
【図１０】
2020021324.tif 000012
【図１１】
2020021324.tif 000013
【図１２】
2020021324.tif 000014
【図１３】
2020021324.tif 000015
【図１４】
2020021324.tif 000016
【図１５】
2020021324.tif 000017
【図１６】
2020021324.tif 000018
【図１７】
2020021324.tif 000019
【図１８】
2020021324.tif 000020
【図１９】
2020021324.tif 000021
【図２０】
2020021324.tif 000022
【図２１】
2020021324.tif 000023
【図２２】
2020021324.tif 000024
【図２３】
2020021324.tif 000025